(57)【要約】【課題】色画素のサイズが大きくても、色画素の領域内に吐出した液滴の表面の平坦性を確保するとともに空隙部の発生を抑え、色画素の色調のバラツキが抑制されたカラーフィルタ基板及びその製造方法、液晶表示装置及びその製造方法並びに電子機器を提供する。【解決手段】カラーフィルタ基板１０は、基板１２と、基板１２上に形成され、複数の隔壁１４により区画される複数の色画素１８と、複数の色画素１８からそれぞれ構成される複数の画素２０と、複数の色画素１８の各々を構成し、色画素１８を区画する隔壁１４を結ぶ少なくとも一つの補助隔壁１６により区画される複数のサブ色画素（サブ色画素１８ａ、サブ色画素１８ｂ）と、を含む。【選択図】図１
2007178531.tif 000002
【特許請求の範囲】
【請求項１】
基板と、
前記基板上に形成され、複数の隔壁により区画される複数の色画素と、
複数の前記色画素からそれぞれ構成される複数の画素と、
前記複数の色画素の各々を構成し、前記色画素を区画する前記隔壁を結ぶ少なくとも一つの補助隔壁により区画される複数のサブ色画素と、
を含むカラーフィルタ基板。
【請求項２】
請求項１に記載されたカラーフィルタ基板において、
前記複数のサブ色画素のそれぞれの領域はほぼ等しい面積に形成されてなるカラーフィルタ基板。
【請求項３】
請求項１又は請求項２に記載されたカラーフィルタ基板において、
前記少なくとも一つの補助隔壁上には突起列又は共通電極のスリットの少なくとも一つの屈曲点が形成されてなるカラーフィルタ基板。
【請求項４】
請求項１から請求項３のいずれか一項に記載されたカラーフィルタ基板において、
前記複数のサブ色画素は液滴吐出法により形成されてなるカラーフィルタ基板。
【請求項５】
請求項１から請求項４のいずれか一項に記載されたカラーフィルタ基板において、
前記複数の隔壁及び前記補助隔壁は液滴吐出法により形成されてなるカラーフィルタ基板。
【請求項６】
請求項１から請求項５のいずれか一項に記載されたカラーフィルタ基板と、
液晶と、
基板上に容量線及び、突起列又は画素電極のスリットの少なくとも一つが形成された素子基板と、
を備える液晶表示装置。
【請求項７】
請求項６に記載された液晶表示装置において、
前記カラーフィルタ基板の前記少なくとも一つの補助隔壁は、前記素子基板の前記容量線に対向する位置に設けられてなる液晶表示装置。
【請求項８】
請求項６又は請求項７に記載された液晶表示装置において、
前記カラーフィルタ基板の前記少なくとも一つの補助隔壁は、前記素子基板の前記突起列又は前記画素電極のスリットの少なくとも一つの屈曲点に対向する位置に設けられてなる液晶表示装置。
【請求項９】
請求項６から請求項８のいずれか一項に記載された液晶表示装置を備える電子機器。
【請求項１０】
基板上に複数の隔壁を設け、前記複数の隔壁により区画される複数の色画素の領域で構成される複数の画素の領域を形成すること、
前記複数の色画素の領域に少なくとも一つの補助隔壁を設け、前記隔壁を結ぶ前記少なくとも一つの補助隔壁により区画される複数のサブ色画素の領域を形成すること、
を含むカラーフィルタ基板の製造方法。
【請求項１１】
請求項１０に記載されたカラーフィルタ基板の製造方法において、
前記複数のサブ色画素の領域はそれぞれほぼ等しい面積に形成されてなるカラーフィルタ基板の製造方法。
【請求項１２】
請求項１０又は請求項１１に記載されたカラーフィルタ基板の製造方法において、
前記少なくとも一つの補助隔壁上には突起列又は共通電極のスリットの少なくとも一つの屈曲点が形成されてなるカラーフィルタ基板の製造方法。
【請求項１３】
請求項１０から請求項１２のいずれか一項に記載されたカラーフィルタ基板の製造方法において、
さらに、前記複数のサブ色画素の領域に、複数のサブ色画素を液滴吐出法により形成するカラーフィルタ基板の製造方法。
【請求項１４】
請求項１０から請求項１３のいずれか一項に記載されたカラーフィルタ基板の製造方法において、
前記複数の隔壁及び前記補助隔壁は液滴吐出法により形成されてなるカラーフィルタ基板の製造方法。
【請求項１５】
請求項１０から請求項１４のいずれか一項に記載されたカラーフィルタ基板の製造方法を含む液晶表示装置の製造方法。
【発明の詳細な説明】
【技術分野】
【０００１】
本発明は、カラーフィルタ基板及びその製造方法、液晶表示装置及びその製造方法並びに電子機器に関する。
【背景技術】
【０００２】
一般に、フルカラー表示を可能とした液晶表示装置はカラーフィルタ基板を備えている。カラーフィルタ基板は、例えばガラスやプラスチック等の基板上に、一つの画素を構成するＲ（Red）、Ｇ（Green）、Ｂ（Blue）等の各色の色画素を、所定の配列パターンで複数配列させたものである。カラーフィルタ基板の製造方法としてフォトリソグラフィ法や液滴吐出法があるが、工程の簡略化及び設備投資抑制の観点から液滴吐出法が注目されている。液滴吐出法では、隔壁により画素を構成する色画素の領域を形成した後に、インクジェットで各色の液滴を吐出してカラーフィルタ基板を形成するが、色画素の領域内で角部と複数の液滴に囲まれる中央部とでは吐出した液滴の広がり方が異なる。そのため、各色画素の領域内に吐出ノズルの位置をずらしながら液滴を複数回吐出することにより、吐出した液滴の表面の平坦性を確保している（例えば、特許文献１参照）。
【０００３】
【特許文献１】特開２００３−６６２２２号公報
【発明の開示】
【発明が解決しようとする課題】
【０００４】
しかし、液晶表示装置の画面サイズが大型化し、カラーフィルタ基板のサイズも大型化するに伴って、色画素のサイズも拡大してきている。色画素の領域が拡大すると、色画素の領域の角部と中央部との距離が広がるため液滴の広がりのバラツキが大きくなり、吐出した液滴の表面の平坦性の確保が難しくなる。また、色画素の領域の角部まで液滴を行き渡らせることが難しくなり、空隙部（色抜け部）が発生することがある。このような場合、色画素の色調のバラツキを招く。
【０００５】
本発明の目的は、色画素のサイズが大きくても、色画素の領域内に吐出した液滴の表面の平坦性を確保するとともに空隙部の発生を抑え、色画素の色調のバラツキが抑制されたカラーフィルタ基板及びその製造方法、液晶表示装置及びその製造方法並びに電子機器を提供することにある。
【課題を解決するための手段】
【０００６】
（１）本発明に係るカラーフィルタ基板は、基板と、前記基板上に形成され、複数の隔壁により区画される複数の色画素と、複数の前記色画素からそれぞれ構成される複数の画素と、前記複数の色画素の各々を構成し、前記色画素を区画する前記隔壁を結ぶ少なくとも一つの補助隔壁により区画される複数のサブ色画素と、を含む。本発明によれば、色画素を補助隔壁により複数のサブ色画素に区画するので、液滴を吐出する領域を色画素の領域よりも小さくすることができる。液滴を吐出する領域を小さくすることにより液滴の広がりのバラツキを小さくすることができる。したがって、吐出した液滴の表面の平坦性を確保するとともに空隙部の発生を抑えることができ、色画素の色調のバラツキを抑制することができる。
【０００７】
（２）このカラーフィルタ基板において、前記複数のサブ色画素のそれぞれの領域はほぼ等しい面積に形成されていてもよい。これによれば、液滴を吐出する各領域内における、角部と中央部との距離、及び液滴の吐出回数をほぼ同じにすることができる。したがって、カラーフィルタ基板全体にわたって、吐出する液滴の平坦性をほぼ同等に確保し空隙部の発生を抑えることができる。
【０００８】
（３）このカラーフィルタ基板において、前記少なくとも一つの補助隔壁上には突起列又は共通電極のスリットの少なくとも一つの屈曲点が形成されていてもよい。これによれば、カラーフィルタ基板を含み構成される液晶表示装置において、突起列又は共通電極のスリットの屈曲点上で液晶分子の傾斜状態の乱れによる表示ムラが発生しても、補助隔壁ｂが光を遮断するため表示ムラを目立たなくすることができる。また、突起列又は共通電極のスリットの屈曲点上では液晶分子の傾斜状態の乱れにより光の透過率が低下するので、補助隔壁による液晶表示装置の開口率低下への影響を少なくすることができる。
【０００９】
（４）このカラーフィルタ基板において、前記複数のサブ色画素は液滴吐出法により形成されていてもよい。
【００１０】
（５）このカラーフィルタ基板において、前記複数の隔壁及び前記補助隔壁は液滴吐出法により形成されていてもよい。
【００１１】
（６）本発明に係る液晶表示装置は、上記カラーフィルタ基板と、液晶と、基板上に容量線及び、突起列又は画素電極のスリットの少なくとも一つが形成された素子基板と、を備える。本発明によれば、カラーフィルタ基板の色画素の色調のバラツキが抑制されているので、液晶表示装置の色調のバラツキを抑制することができる。
【００１２】
（７）この液晶表示装置において、前記カラーフィルタ基板の前記少なくとも一つの補助隔壁は、前記素子基板の前記容量線に対向する位置に設けられていてもよい。これによれば、光を遮断するカラーフィルタ基板の補助隔壁を、光を遮断する素子基板の容量線に対向する位置に設けるので、補助隔壁により液晶表示装置の非開口部を増加させることはない。
【００１３】
（８）この液晶表示装置において、前記カラーフィルタ基板の前記少なくとも一つの補助隔壁は、前記素子基板の前記突起列又は画素電極のスリットの少なくとも一つの屈曲点に対向する位置に設けられていてもよい。これによれば、カラーフィルタ基板を含み構成される液晶表示装置において、突起列又は画素電極のスリットの屈曲点上で液晶分子の傾斜状態の乱れによる表示ムラが発生しても、補助隔壁が光を遮断するため表示ムラを目立たなくすることができる。また、突起列又は画素電極のスリットの屈曲点上では液晶分子の傾斜状態の乱れにより光の透過率が低下するので、補助隔壁による液晶表示装置の開口率低下への影響を少なくすることができる。
【００１４】
（９）本発明に係る電子機器は、上記液晶表示装置を備える。本発明によれば、液晶表示装置の色画素の色調のバラツキが抑制されているので、電子機器の表示部の色調のバラツキを抑制することができる。
【００１５】
（１０）本発明に係るカラーフィルタ基板の製造方法は、基板上に複数の隔壁を設け、前記複数の隔壁により区画される複数の色画素の領域で構成される複数の画素の領域を形成すること、前記複数の色画素の領域に少なくとも一つの補助隔壁を設け、前記隔壁を結ぶ前記少なくとも一つの補助隔壁により区画される複数のサブ色画素の領域を形成すること、を含む。本発明によれば、色画素を補助隔壁により複数のサブ色画素に区画するので、液滴を吐出する領域を色画素の領域よりも小さくすることができる。液滴を吐出する領域を小さくすることにより液滴の広がりのバラツキを小さくすることができる。したがって、吐出した液滴の表面の平坦性を確保するとともに空隙部の発生を抑えることができ、色画素の色調のバラツキを抑制するようにカラーフィルタ基板を製造することができる。
【００１６】
（１１）このカラーフィルタ基板の製造方法において、前記複数のサブ色画素の領域はそれぞれほぼ等しい面積に形成されていてもよい。
【００１７】
（１２）このカラーフィルタ基板の製造方法において、前記少なくとも一つの補助隔壁上には共通電極のスリット又は突起列の少なくとも一つの屈曲点が形成されていてもよい。
【００１８】
（１３）このカラーフィルタ基板の製造方法において、さらに、前記複数のサブ色画素の領域に、複数のサブ色画素を液滴吐出法により形成してもよい。
【００１９】
（１４）このカラーフィルタ基板の製造方法において、前記複数の隔壁及び前記補助隔壁は液滴吐出法により形成されていてもよい。
【００２０】
（１５）本発明に係る液晶表示装置の製造方法は、上記カラーフィルタ基板の製造方法を含む。本発明によれば、カラーフィルタ基板の色画素の色調のバラツキが抑制されるので、画素の色調のバラツキを抑制するように液晶表示装置を製造することができる。
【発明を実施するための最良の形態】
【００２１】
以下に、本発明の実施の形態について図面を参照して説明する。なお、本発明の実施の形態は、垂直配向用の配向膜が設けられるカラーフィルタ基板、及びこのカラーフィルタ基板を備えるＭＶＡ（Multi-domain Vertical Alignment）方式の液晶表示装置を例に説明する。
【００２２】
（カラーフィルタ基板）
図１は、本発明の実施の形態に係るカラーフィルタ基板の全体、及びそのＡ部を拡大して示す図である。図２は、図１のII−II線断面図である。
【００２３】
本実施の形態に係るカラーフィルタ基板１０は、図１及び図２に示すように、基板１２と、複数の隔壁１４と、少なくとも一つの補助隔壁１６と、複数の色画素１８と、複数のサブ色画素としての第１のサブ色画素１８ａと第２のサブ色画素１８ｂと、複数の画素２０（図１参照）と、を含んでいる。
【００２４】
基板１２は、透明な基板である。基板１２の材料は、例えば、ガラス又はプラスチックである。
【００２５】
隔壁１４は、基板１２上に複数形成され、複数の色画素１８を区画している。隔壁１４は液滴の仕切部材としての機能を有している。隔壁１４の断面形状は、液滴の仕切部材としての機能を有していればいずれの形状であってもよい。隔壁１４の断面形状は、例えば、矩形である。隔壁１４の材料は、硬化性成分を含有し、液滴吐出法により吐出が可能であり、且つ、後処理により硬化し得るものであれば、いずれの材料を用いてもよいし、混合することで凝集する性質を有する複数の材料を用いてもよい。隔壁１４の材料は、例えば、フェノール系樹脂である。複数の隔壁１４は、液滴吐出法で形成されていてもよい。基板１２と隔壁１４との間には第１の親液層２８ａ（図２参照）が形成されている。
【００２６】
補助隔壁１６は、隔壁１４を結ぶように少なくとも一つ形成され、色画素１８を第１のサブ色画素１８ａと第２のサブ色画素１８ｂとに区画している。補助隔壁１６は液滴の仕切部材としての機能を有している。補助隔壁１６の断面形状は、液滴の仕切部材としての機能を有していればいずれの形状であってもよい。補助隔壁１６の断面形状は、例えば、矩形である。補助隔壁１６の材料は、硬化性成分を含有し、液滴吐出法により吐出が可能であり、且つ、後処理により硬化し得るものであれば、いずれの材料を用いてもよいし、混合することで凝集する性質を有する複数の材料を用いてもよい。補助隔壁１６の材料は、例えば、フェノール系樹脂である。補助隔壁１６は、液滴吐出法で形成されていてもよい。基板１２と補助隔壁１６との間には第２の親液層２８ｂ（図２参照）が形成されている。
【００２７】
色画素１８は、基板１２上に形成され、複数の隔壁１４により方形又は帯状の形状に区画されている。一つの色画素１８は、例えば、Ｒ（Red）、Ｇ（Green）、Ｂ（Blue）の３色のいずれかに着色されている。色画素１８の材料は、例えば、無機又は有機顔料により着色された、アクリル樹脂又はポリウレタン樹脂等からなる着色インクである。色画素１８と隔壁１４と補助隔壁１６との上面には共通電極２２（図２参照）が形成されている。共通電極２２の材料は、例えば、ＩＴＯ（Indium-Tin-Oxide）等の透光性材料である。共通電極２２の上面には、色画素１８の領域上を横断するように突起列２４が形成されている。突起列２４の断面形状は、例えば、ドーム型である。突起列２４の断面形状は、半球状等であってもよい。突起列２４は、例えば、補助隔壁１６に対して略４５度をなし、補助隔壁１６上を屈曲点として略９０度で屈曲している。複数の突起列２４のそれぞれは、複数の色画素１８のそれぞれの領域上を横断するように略平行に配列されている。突起列２４の機能は、カラーフィルタ基板１０を用いる液晶表示装置において、液晶の配向を制御する。液晶の配向を制御する手段として、突起列２４の代わりに共通電極２２にスリット（図示しない）が設けられていてもよい。少なくとも一つの補助隔壁１６上には突起列２４又は共通電極２２のスリットの少なくとも一つの屈曲点が形成されていてもよい。突起列２４の材料は、例えば、導電性粉体を含有した感光性樹脂組成物からなる透光性材料である。突起列２４と共通電極２２との上面には配向膜２６（図２参照）が形成されている。
【００２８】
第１のサブ色画素１８ａと第２のサブ色画素１８ｂとは、複数の色画素１８の各々を構成し、色画素１８を区画する隔壁１４を結ぶ少なくとも一つの補助隔壁１６により区画されている。第１のサブ色画素１８ａと第２のサブ色画素１８ｂとは同じ色に着色されている。第１のサブ色画素１８ａの領域と第２のサブ色画素１８ｂの領域とはほぼ等しい面積に形成されていてもよい。第１のサブ色画素１８ａと第２のサブ色画素１８ｂとは、液滴吐出法により形成されていてもよい。
【００２９】
画素２０は、それぞれが異なる色に着色された複数の色画素１８から構成されている。
【００３０】
以上説明した内容によって、色画素１８を補助隔壁１６によりサブ色画素１８ａとサブ色画素１８ｂとに区画するので、液滴を吐出する領域を色画素１８の領域よりも小さくすることができる。液滴を吐出する領域を小さくすることにより液滴の広がりのバラツキを小さくすることができる。したがって、吐出した液滴の平坦性を確保するとともに空隙部の発生を抑えることができ、色画素１８の色調のバラツキを抑制することができる。
【００３１】
（カラーフィルタ基板の製造方法）
図３及び図４は、本発明の実施の形態に係るカラーフィルタ基板の製造方法を説明する図である。
【００３２】
本実施の形態に係るカラーフィルタ基板の製造方法は、以下の内容を含んでいる。１．基板１２上に複数の隔壁１４を設け、複数の隔壁１４により区画される複数の色画素の領域６２で構成される複数の画素の領域（図示しない）を形成する。２．複数の色画素の領域６２に少なくとも一つの補助隔壁１６を設け、隔壁１４を結ぶ少なくとも一つの補助隔壁１６により区画される複数のサブ色画素の領域としての第１のサブ色画素の領域６２ａと第２のサブ色画素の領域６２ｂとを形成する。
以下にその詳細について説明する。まず図３（Ａ）に示すように、基板１２を用意し、基板１２の表面に第１の親液層２８ａと第２の親液層２８ｂと撥液層３０とを形成する。第１の親液層２８ａと第２の親液層２８ｂと撥液層３０とを形成する方法は、例えば、基板１２の表面全体に撥液処理を施した後、撥液処理を施した面の一部の領域を親液性に改質する。親液性に改質する領域に、第１の親液層２８ａと第２の親液層２８ｂとを形成する。親液性に改質されない領域に、撥液層３０を形成する。撥液処理の材料は、例えば、フルオロアルキルシラン（ＦＡＳ）である。撥液処理の材料は、ヘキサメチルジシラン（ＨＭＤＳ）であってもよい。撥液処理の方法は、例えば、気相成膜法を適用する。撥液処理の方法は、湿式成膜法又は自己組織膜形成法を適用してもよい。撥液処理を施した面の一部の領域を親液性に改質する方法は、例えば、レーザ光照射を適用する。
【００３３】
次に、図３（Ｂ）に示すように、第１の親液層２８ａと第２の親液層２８ｂとの上に液滴吐出法によりノズル（図示しない）から液滴３２を吐出する。
【００３４】
次に、図３（Ｃ）に示すように、液滴３２を硬化させ、第１の親液層２８ａの上に複数の隔壁１４を、第２の親液層２８ｂの上に補助隔壁１６を形成する。隔壁１４と補助隔壁１６とを形成する方法は、フォトリソグラフィ法を適用してもよい。隔壁１４と補助隔壁１６とをフォトリソグラフィ法により形成する場合は、第１の親液層２８ａと第２の親液層２８ｂとはなくてもよい。
【００３５】
次に、図３（Ｄ）に示すように、基板１２表面の撥液層３０を除去し、隔壁１４と補助隔壁１６とで区画される第１のサブ色画素の領域６２ａと第２のサブ色画素の領域６２ｂとの表面を露出させる。第１のサブ色画素の領域６２ａと第２のサブ色画素の領域６２ｂとはそれぞれほぼ等しい面積に形成されていてもよい。撥液層３０を除去する方法は、例えば、フッ酸水溶液によるエッチングを適用する。撥液層３０を除去する方法は、プラズマ放電電極からプラズマ状態の酸素を照射するＯ2プラズマ処理を適用してもよい。
【００３６】
次に、図４（Ａ）に示すように、基板１２表面の隔壁１４と補助隔壁１６とで区画される第１のサブ色画素の領域６２ａと第２のサブ色画素の領域６２ｂとに、液滴吐出法によりノズル（図示しない）から液滴３４を吐出する。
【００３７】
次に、図４（Ｂ）に示すように、液滴３４を硬化させ、第１のサブ色画素の領域６２ａに第１のサブ色画素１８ａを、第２のサブ色画素の領域６２ｂに第２のサブ色画素１８ｂを形成する。第１のサブ色画素１８ａと第２のサブ色画素１８ｂとを形成する方法は、フォトリソグラフィ法を適用してもよい。
【００３８】
次に、図４（Ｃ）に示すように、隔壁１４と補助隔壁１６と第１のサブ色画素１８ａと第２のサブ色画素１８ｂとの上面に共通電極２２を形成する。少なくとも一つの補助隔壁１６上には共通電極２２のスリット（図示しない）の少なくとも一つの屈曲点が形成されていてもよい。共通電極２２を形成する方法は、例えば、フォトリソグラフィ法を適用する。共通電極２２を形成する方法は、真空蒸着法、スパッタリング法、又はパイロゾル法を適用してもよい。
【００３９】
次に、図４（Ｄ）に示すように、共通電極２２の上面に突起列２４を形成する。少なくとも一つの補助隔壁１６上には突起列２４又は共通電極２２のスリットの少なくとも一つの屈曲点が形成されていてもよい。突起列２４の形成方法は、例えば、液滴吐出法を適用する。突起列２４の形成方法は、フォトリソグラフィ法を適用してもよい。
【００４０】
さらに、図２に示すように、共通電極２２と突起列２４との上面を被覆するように配向膜２６を形成することにより、カラーフィルタ基板１０を製造することができる。なお、以上の各工程で説明されていない加工方法は、公知の方法を適用すればよい。
【００４１】
（液晶表示装置）
図５は、本発明の実施の形態に係る液晶表示装置の全体、及びそのＢ部を拡大して示す図である。図６は、図５のV−V線断面図である。
【００４２】
本実施の形態に係る液晶表示装置４０は、図５及び図６に示すように、カラーフィルタ基板１０と、液晶４２と、素子基板５０と、を含んでいる。
【００４３】
液晶４２は、カラーフィルタ基板１０と素子基板５０との間でシール材４４（図５参照）によって囲まれる間隙内に封入されている。
【００４４】
素子基板５０は、基板５２（図６参照）上に容量線５４及び、突起列５６又は画素電極５８のスリット（図示しない）の少なくとも一つが形成されている。
【００４５】
基板５２は、透明な基板である。基板５２の材料は、例えば、ガラス又はプラスチックである。
【００４６】
容量線５４は、基板５２の下面の、カラーフィルタ基板１０の補助隔壁１６に対向する位置に形成されていてもよい。カラーフィルタ基板１０の少なくとも一つの補助隔壁１６は、素子基板５０の容量線５４に対向する位置に設けられていてもよい。容量線５４と基板５２との下面には、絶縁層６０（図６参照）が形成されている。絶縁層６０の下面には、カラーフィルタ基板１０の色画素１８に対向する位置に、画素電極５８が形成されている。
【００４７】
突起列５６は、画素電極５８の下面に、画素電極５８の領域を横断するように形成されていてもよい。突起列５６の断面形状は、例えば、ドーム型である。突起列５６の断面形状は、半球状等であってもよい。突起列５６は、例えば、カラーフィルタ基板１０の補助隔壁１６に対して略４５度をなし、補助隔壁１６に対向する位置を屈曲点として略９０度で屈曲している。カラーフィルタ基板１０の突起列２４と突起列５６とは、例えば、重ならないように交互に配列されている。突起列２４と突起列５６とは液晶の配向を制御する機能を有している。突起列５６と対向する近傍の突起列２４とを境界として、境界に挟まれる領域内では液晶４２の分子の倒れる方向は同じとなり、境界を挟んで隣り合う領域とでは液晶４２の分子の倒れる方向は異なる。液晶の配向を制御する手段として、突起列５６の代わりに画素電極５８にスリット（図示しない）が設けられていてもよい。カラーフィルタ基板１０の少なくとも一つの補助隔壁１６は、素子基板５０の突起列５６又は画素電極５８のスリットの少なくとも一つの屈曲点に対向する位置に設けられていてもよい。突起列５６の材料は、例えば、導電性粉体を含有した感光性樹脂組成物からなる透光性材料である。絶縁層６０と画素電極５８と突起列５６と、液晶４２との間には配向膜（図示しない）が形成されている。
【００４８】
（液晶表示装置の製造方法）
図７は、本発明の実施の形態に係る液晶表示装置の製造方法を説明する図である。本実施の形態に係る液晶表示装置の製造方法は、まず素子基板５０を形成する（ステップＳ１０）。
【００４９】
次に、素子基板５０と、この素子基板５０の形成工程とは別に形成したカラーフィルタ基板１０と、の間にシール材４４を挟んで位置合わせした上で互いに貼り合わせる（ステップＳ２０）。
【００５０】
次に、液晶４２を形成する。カラーフィルタ基板１０と素子基板５０とシール材４４とによって囲まれる間隙内に液晶を封入し、開口部を樹脂などによって封止する（ステップＳ３０）。
【００５１】
次に、液晶表示装置の表示部を照明する照明装置等を実装する（ステップＳ４０）。以上により、液晶表示装置４０を製造することができる。なお、ステップＳ１０、ステップＳ２０、ステップＳ３０、及びステップＳ４０の加工方法は、公知の方法を適用すればよい。
【００５２】
（電子機器）
図８は、本発明の実施の形態に係る液晶表示装置を備える電子機器を示す図である。
【００５３】
本実施の形態に係る電子機器は、図８に示すように、例えば、液晶表示装置４０（図５参照）を備える大画面テレビ１００である。電子機器は、大画面モニタであってもよい。
【００５４】
本発明は、上述した実施の形態に限定されるものではなく、種々の変形が可能である。例えば、本発明は、実施の形態で説明した構成と実質的に同一の構成（例えば、機能、方法及び結果が同一の構成、あるいは目的及び結果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【図面の簡単な説明】
【００５５】
【図１】実施の形態に係るカラーフィルタ基板の全体、及びそのＡ部を拡大して示す図である。
【図２】図１のII−II線断面図である。
【図３】実施の形態に係るカラーフィルタ基板の製造方法を説明する図である。
【図４】実施の形態に係るカラーフィルタ基板の製造方法を説明する図である。
【図５】実施の形態に係る液晶表示装置の全体、及びそのＢ部を拡大して示す図である。
【図６】図５のV−V線断面図である。
【図７】実施の形態に係る液晶表示装置の製造方法を説明する図である。
【図８】実施の形態に係る液晶表示装置を備える電子機器を示す図である。
【符号の説明】
【００５６】
１０…カラーフィルタ基板  １２…基板  １４…隔壁  １６…補助隔壁  １８…色画素  １８ａ…第１のサブ色画素  １８ｂ…第２のサブ色画素  ２０…画素  ２２…共通電極  ２４…突起列  ２６…配向膜  ２８ａ…第１の親液層  ２８ｂ…第２の親液層  ３０…撥液層  ３２…液滴  ３４…液滴  ４０…液晶表示装置  ４２…液晶  ４４…シール材  ５０…素子基板  ５２…基板  ５４…容量線  ５６…突起列  ５８…画素電極  ６０…絶縁層  ６２…色画素の領域  ６２ａ…第１のサブ色画素の領域  ６２ｂ…第２のサブ色画素の領域  １００…大画面テレビ。
【図１】
2007178531.tif 000003
【図２】
2007178531.tif 000004
【図３】
2007178531.tif 000005
【図４】
2007178531.tif 000006
【図５】
2007178531.tif 000007
【図６】
2007178531.tif 000008
【図７】
2007178531.tif 000009
【図８】
2007178531.tif 000010